(57)【要約】　　　（修正有）【課題】通帳の磁気ストライプの読取りにかかる時間を低減し、読取り精度を向上する冊子類取扱い装置を提供する。【解決手段】基準ガイドに沿って磁気ストライプを有する冊子類を搬送する搬送路と、基準ガイドに近い側の第１の書込みコア６２の幅はその幅方向の両方向へ拡大され、第１の読取りコア６３の幅は第１の書込みコアの幅よりも狭く、その中心位置は第１の書込みコアの中心に対し前記基準ガイドと反対の方向にずれている第１の磁気ヘッド６１と、この第１の磁気ヘッドに隣接して配置され、第２の書込みコア６５の幅はその幅方向の両方向へ拡大され、第２の読取りコア６６の幅は前記第２の書込みコアの幅よりも狭く、その中心位置は第２の書込みコアの中心に対し前記基準ガイドの方向のずれている第２の磁気ヘッド６４とを有し、前記磁気ストライプに対し磁気記録再生を行う磁気ヘッド６−１とを具備する。【選択図】　図４
2004118490.tif 000002
【特許請求の範囲】
【請求項１】
両側にガイドを有し一方のガイドを基準ガイドとして当該基準ガイドに沿って１トラックあるいは２トラックを有する磁気ストライプを有する冊子類を搬送する搬送路と、前記基準ガイドに近い側の第１の書込みコアの幅はその幅方向の両方向へ拡大され、第１の読取りコアの幅は前該第１の書込みコアの幅よりも狭く、当該第１の読取りコアの中心位置は前記第１の書込みコアの中心に対し前記基準ガイドと反対の方向にずれている第１の磁気ヘッドと、該第１の磁気ヘッドに隣接して配置され、第２の書込みコアの幅はその幅方向の両方向へ拡大され、第２の読取りコアの幅は前記第２の書込みコアの幅よりも狭く、当該第２の読取りコアの中心位置は前記第２の書込みコアの中心に対し前記基準ガイドの方向にずれている第２の磁気ヘッドとを有し、前記磁気ストライプに対し磁気記録再生を行う磁気ヘッドとを具備することを特徴とする冊子類取扱い装置。
【請求項２】
前記第１の磁気ヘッドの第１の読取りコアの中心位置は前記第１の書込みコアの中心に対し前記磁気ストライプが前記冊子類の側端部に最も近い位置に配置される１トラックを有する場合のトラックの中心と２トラックを有する場合の前記冊子類の側端部に近い側のトラックの中心とのずれの分だけ前記基準ガイドと反対の方向にずれており、前記第２の磁気ヘッドの第２の読取りコアは前記２トラックを有する磁気ストライプの前記冊子類の側端部から遠い側のトラックの中心と前記冊子類の側端部に最も近くに配置される１トラックを有する磁気ストライプの位置に隣接する位置に配置される１トラックを有する磁気ストライプのトラックの中心とのずれの分だけ前記基準ガイド側にずれていることを特徴とする請求項１記載の冊子類取扱い装置。
【請求項３】
前記磁気ヘッドは、前記磁気ストライプが配置される位置の異なる複数の冊子類の磁気ストライプに対して磁気記録再生できるように、複数箇所に設けられることを特徴とする請求項１または２記載の冊子類取扱い装置。
【請求項４】
両側にガイドを有し一方のガイドを基準ガイドとして当該基準ガイドに沿って磁気ストライプを有する冊子類を搬送する搬送路と、前記冊子類の印字情報を光学的に読取る光学読取り部と、前記基準ガイドに近い側の第１の書込みコアの幅はその幅方向の両方向に拡大され、第１の読取りコアの幅は前該第１の書込みコアよりも狭く、当該第１の読取りコアの中心位置は前記第１の書込みコアの中心に対し前記基準ガイドと反対の方向にずれている第１の磁気ヘッドと、該第１の磁気ヘッドに隣接して配置され、第２の書込みコアの幅はその幅の両方向へ拡大され、第２の読取りコアの幅は前記第２の書込みコアよりも狭く、当該第２の読取りコアの中心位置は前記第２の書込みコアの中心に対し前記基準ガイドの方向にずれている第２の磁気ヘッドとを有し、前記磁気ストライプに対し磁気記録再生を行う磁気ヘッドと、前記冊子類に印字する印字部と、前記冊子類の頁をめくる頁換部とを具備することを特徴とする冊子類取扱い装置。
【請求項５】
前記第１の磁気ヘッドの第１の読取りコアの中心位置は前記第１の書込みコアの中心に対し前記磁気ストライプが前記冊子類の側端部に最も近い位置に配置される１トラックを有する場合のトラックの中心と２トラックを有する場合の前記冊子類の側端部に近い側のトラックの中心とのずれの分だけ前記基準ガイドと反対の方向にずれており、前記第２の磁気ヘッドの第２の読取りコアは前記２トラックを有する磁気ストライプの前記冊子類の側端部から遠い側のトラックの中心と前記冊子類の側端部に最も近くに配置される１トラックを有する磁気ストライプの位置に隣接する位置に配置される１トラックを有する磁気ストライプのトラックの中心とのずれの分だけ前記基準ガイド側にずれていることを特徴とする請求項４記載の冊子類取扱い装置。
【請求項６】
前記磁気ヘッドは、前記磁気ストライプが配置される位置の異なる複数の冊子類の磁気ストライプに対して磁気記録再生できるように、複数箇所に設けられることを特徴とする請求項４または５記載の冊子類取扱い装置。
【請求項７】
両側にガイドを有し一方のガイドを基準ガイドとして当該基準ガイドに沿って磁気ストライプを有する冊子類を搬送する搬送路と、書込みコアの幅は少なくとも前記冊子類が前記基準ガイドからシフトする方向に拡大され、読取りコアの幅は前該書込みコアよりも狭く、当該読取りコアの中心位置は前記書込みコアの中心に対し前記冊子類がシフトする方向へずれており、前記磁気ストライプに対し磁気記録再生を行う磁気ヘッドとを具備することを特徴とする冊子類取扱い装置。
【請求項８】
前記磁気ヘッドの書込みコアの幅は、前記冊子類の前記基準ガイドからのシフト量の半分に相当する分だけ前記冊子類のシフトの方向に拡大され、前記読取りコアの中心位置は前記書込みコアの中心に対し前記冊子類のシフト量に相当する分だけ前記冊子類がシフトする方向へずれていることを特徴とする請求項７
記載の冊子類取扱い装置。
【請求項９】
前記磁気ヘッドは、前記磁気ストライプが配置される位置の異なる複数の冊子類の磁気ストライプに対して磁気記録再生できるように、複数箇所に設けられることを特徴とする請求項７または８記載の冊子類取扱い装置。
【請求項１０】
両側にガイドを有し一方のガイドを基準ガイドとして当該基準ガイドに沿って磁気ストライプを有する冊子類を搬送する搬送路と、前記冊子類の印字情報を光学的に読取る光学読取り部と、書込みコアの幅は少なくとも前記冊子類が前記基準ガイドからシフトする方向に拡大され、読取りコアの幅は前該書込みコアよりも狭く、当該読取りコアの中心位置は前記書込みコアの中心に対し前記冊子類がシフトする方向へずれており、前記磁気ストライプに対し磁気記録再生を行う磁気ヘッドと、前記冊子類に印字する印字部と、前記冊子類の頁をめくる頁換部とを具備することを特徴とする冊子類取扱い装置。
【請求項１１】
前記磁気ヘッドの書込みコアの幅は、前記冊子類の前記基準ガイドからのシフト量の半分に相当する分だけ前記冊子類のシフトの方向に拡大され、前記読取りコアの中心位置は前記書込みコアの中心に対し前記冊子類のシフト量に相当する分だけ前記冊子類がシフトする方向へずれていることを特徴とする請求項１０記載の冊子類取扱い装置。
【請求項１２】
前記磁気ヘッドは、前記磁気ストライプが配置される位置の異なる複数の冊子類の磁気ストライプに対して磁気記録再生できるように、複数箇所に設けられることを特徴とする請求項１０または１１記載の冊子類取扱い装置。
【請求項１３】
両側にガイドを有し一方のガイドを基準ガイドとして当該基準ガイドに沿って磁気ストライプを有する冊子類を搬送する搬送路と、前記基準ガイドに近い側の第１の書込みコアの幅は少なくとも前記冊子類が前記基準ガイドからシフトする方向に拡大され、第１の読取りコアの幅は前該第１の書込みコアよりも狭く、当該第１の読取りコアの中心位置は前記第１の書込みコアの中心に対し前記冊子類がシフトする方向へずれている第１の磁気ヘッドと、該第１の磁気ヘッドに隣接して配置され、第２の書込みコアの幅はその幅の両方向へ拡大され、第２の読取りコアの幅は前記第２の書込みコアよりも狭く、当該第２の読取りコアの中心位置は前記第２の書込みコアの中心に対し前記基準ガイドの方向にずれている第２の磁気ヘッドとを有し、前記磁気ストライプに対し磁気記録再生を行う磁気ヘッドとを具備することを特徴とする冊子類取扱い装置。
【請求項１４】
前記第１の磁気ヘッドの第１の書込みコアの幅は、前記冊子類の前記基準ガイドからのシフト量の半分に相当する分だけ前記冊子類のシフトの方向に拡大され、前記第１の読取りコアの中心位置は前記第１の書込みコアの中心に対し前記冊子類のシフト量に相当する量に前記磁気ストライプが前記冊子類の側端部に最も近い位置に配置される１トラックを有する場合のトラックの中心と２トラックを有する場合の前記冊子類の側端部に近い側のトラックの中心とのずれ量を加えた分だけ前記冊子類がシフトする方向にずれており、前記第２の磁気ヘッドの第２の読取りコアは前記２トラックを有する磁気ストライプの前記冊子類の側端部から遠い側のトラックの中心と前記冊子類の側端部に最も近くに配置される１トラックを有する磁気ストライプの位置に隣接する位置に配置される１トラックを有する磁気ストライプのトラックの中心とのずれ量から前記冊子類の前記基準ガイドからのシフト量を差し引いた分だけ前記基準ガイド側にずれていることを特徴とする請求項１３記載の冊子類取扱い装置。
【請求項１５】
前記磁気ヘッドは、前記磁気ストライプが配置される位置の異なる複数の冊子類の磁気ストライプに対して磁気記録再生できるように、複数箇所に設けられることを特徴とする請求項１３または１４記載の冊子類取扱い装置。
【請求項１６】
両側にガイドを有し一方のガイドを基準ガイドとして当該基準ガイドに沿って磁気ストライプを有する冊子類を搬送する搬送路と、前記冊子類の印字情報を光学的に読取る光学読取り部と、前記基準ガイドに近い側の第１の書込みコアの幅は少なくとも前記冊子類が前記基準ガイドからシフトする方向に拡大され、第１の読取りコアの幅は前該第１の書込みコアよりも狭く、当該第１の読取りコアの中心位置は前記第１の書込みコアの中心に対し前記冊子類がシフトする方向へずれている第１の磁気ヘッドと、該第１の磁気ヘッドに隣接して配置され、第２の書込みコアの幅はその幅の両方向へ拡大され、第２の読取りコアの幅は前記第２の書込みコアよりも狭く、当該第２の読取りコアの中心位置は前記第２の書込みコアの中心に対し前記基準ガイドの方向にずれている第２の磁気ヘッドとを有し、前記磁気ストライプに対し磁気記録再生を行う磁気ヘッドと、前記冊子類に印字する印字部と、前記冊子類の頁をめくる頁換部とを具備することを特徴とする冊子類取扱い装置。
【請求項１７】
前記第１の磁気ヘッドの第１の書込みコアの幅は、前記冊子類の前記基準ガイドからのシフト量の半分に相当する分だけ前記冊子類のシフトの方向に拡大され、前記第１の読取りコアの中心位置は前記第１の書込みコアの中心に対し前記冊子類のシフト量に相当する量に前記磁気ストライプが前記冊子類の側端部に最も近い位置に配置される１トラックを有する場合のトラックの中心と２トラックを有する場合の前記冊子類の側端部に近い側のトラックの中心とのずれ量を加えた分だけ前記冊子類がシフトする方向にずれており、前記第２の磁気ヘッドの第２の読取りコアは前記２トラックを有する磁気ストライプの前記冊子類の側端部から遠い側のトラックの中心と前記冊子類の側端部に最も近くに配置される１トラックを有する磁気ストライプの位置に隣接する位置に配置される１トラックを有する磁気ストライプのトラックの中心とのずれ量から前記冊子類の前記基準ガイドからのシフト量を差し引いた分だけ前記基準ガイド側にずれていることを特徴とする請求項１６記載の冊子類取扱い装置。
【請求項１８】
前記磁気ヘッドは、前記磁気ストライプが配置される位置の異なる複数の冊子類の磁気ストライプに対して磁気記録再生できるように、複数箇所に設けられることを特徴とする請求項１６または１７記載の冊子類取扱い装置。
【発明の詳細な説明】
【０００１】
【発明の属する技術分野】
本発明は、複数の通帳磁気データ仕様、及び複数の通帳を取扱う通帳記帳機または通帳繰越機、または現金自動預支払機などの冊子類取扱い装置に係り、特に当該取引に持ち込まれる通帳種類及び磁気データ仕様が不特定な場合、あるいは磁気データの書込み位置精度が低い場合、あるいは磁気データの書込み位置が僅かに異なる特定複数種類の通帳を扱う場合に、通帳及び磁気データ仕様の識別の自動化を図り、かつ安価で処理能力の向上を実現することができる磁気記録機構に関する。
【０００２】
【従来の技術】
図１２は冊子類として一般的な通帳の構成を示す図である。通帳１の表表紙２１を開くと中紙２３には当該頁もしくは科目を表すバーコード２５が印刷されている。裏表紙２２には磁気データを書込む磁気ストライプ２４が貼り付けられている。図１３は仕様により異なる磁気ストライプの貼り付け位置を表す図、図１４は磁気ヘッドと磁気データの位置関係を表す図である。
【０００３】
図１２および図１３において、通帳１の裏表紙２２に貼り付けられた磁気ストライプ２４はユーザの仕様により、例えば通帳１の端に近い位置３１であったり、その内側の位置３２であったり、３１及び３２の両方にまたがった位置３３に、３１とは僅かにずれたデータ及び３２とは僅かにずれたデータの２つのデータを書込む仕様であったり、または通帳１の中央部付近３４であったりとさまざまである。
【０００４】
図１４は磁気ストライプと磁気ヘッドとの位置関係を示すが、位置３１の磁気ストライプ２４のデータ４２−ａは磁気ヘッド４２を用いて書込み、読取りを行い、位置３２の磁気ストライプ２４のデータ４３−ａは磁気ヘッド４３を用いて書込み、読取りを行う。同様に位置３３の磁気ストライプ２４のデータ４１−ａは磁気ヘッド４１を用いて書込み、読取りを行う。また、位置３４の磁気ストライプ２４のデータ４４−ａは磁気ヘッド４４を用いて書込み、読取りを行う。つまり、複数仕様の通帳をサポートする場合、サポートする仕様の数だけ磁気ヘッドを実装する必要がある。
【０００５】
近年、銀行間の統合が進む中で、各銀行で発行する通帳種類及び通帳磁気データ仕様が様々であるため、前記統合により、多種に渡る通帳を一手に取扱い可能な現金自動預支払機や、通帳記帳機、通帳発行機の要求が高まっている。
【０００６】
この要求に対応するための従来技術としては、例えば特許文献１が挙げられる。本技術は、通帳等の取扱い装置に対し、通帳上の磁気ストライプの形状及び位置を検出する位置検出手段と、位置検出手段の検出結果に基いて磁気ストライプの種類を判定する種類判定手段と、磁気ヘッドを各磁気ストライプ読取り位置に移動する磁気ヘッド移動機構とを設け、種類判定手段の判定結果に基いて移動機構を作動して所定の磁気ストライプの読取り動作を行うことで、複数種類の通帳を取扱うようにしている。
【０００７】
【特許文献１】
特開平５−８９６１８号公報（第３−４頁、図１、図２、図３）
【０００８】
【発明が解決しようとする課題】
しかしながら、前記した従来技術においては、通帳の磁気ストライプの形状及び位置の違いの大小に係らず、例えば、位置検出手段となる磁気センサと、磁気ヘッドを各磁気ストライプ読取り位置に移動する大掛かりな磁気ヘッド移動機構を設けたり、また磁気検出手段と磁気データの読取り手段をそれぞれ磁気センサと磁気ヘッドに分配していることから、その構成上非常に高価となる。
【０００９】
また、磁気センサで通帳上の磁気ストライプの形状及び位置を検出後、種類判定手段の判定結果に基いて、磁気ヘッド及び移動機構を作動して所定の磁気ストライプの読取り動作を行うようにしているため、磁気ヘッド及び移動機構の作動にかかる時間、及び通帳の往復搬送にかかる時間を必要とし、取扱い通帳が１種類に限られる古来の通帳取扱い装置と比較すると処理能力の低下は避けられない。
【００１０】
本発明の目的は、複数仕様の磁気ストライプを有する冊子類を取扱う装置において、最小個数の磁気ヘッドで磁気記録再生を可能とすることである。
【００１１】
本発明の他の目的は、冊子類を基準ガイドに沿って搬送する場合に生じるシフトに対応可能な磁気記録再生機構を備えた冊子類取扱い装置を提供することである。
【００１２】
本発明のさらに他の目的は、磁気センサあるいは光学センサの如く高額な部品を磁気ストライプ検出用に用いたり、磁気ヘッドを移動する大掛かりな機構を設けたりすることなく、通帳種類判定から適正な磁気ストライプの読取りにかかる時間を低減し、読取り精度を向上することにより、安価で処理能力の向上を期待できる磁気記録機構を有する通帳などの冊子類取扱い装置を提供することである。
【００１３】
【課題を解決するための手段】
前記本発明の第１の目的を達成するための冊子類取扱い装置は、両側にガイドを有し一方のガイドを基準ガイドとしてこの基準ガイドに沿って１トラックあるいは２トラックを有する磁気ストライプを有する冊子類を搬送する搬送路と、前記基準ガイドに近い側の第１の書込みコアの幅はその幅方向の両方向へ拡大され、第１の読取りコアの幅は第１の書込みコアの幅よりも狭く、その中心位置は第１の書込みコアの中心に対し前記基準ガイドと反対の方向にずれている第１の磁気ヘッドと、この第１の磁気ヘッドに隣接して配置され、第２の書込みコアの幅はその幅方向の両方向へ拡大され、第２の読取りコアの幅は前記第２の書込みコアの幅よりも狭く、その中心位置は第２の書込みコアの中心に対し前記基準ガイドの方向にずれている第２の磁気ヘッドとを有し、前記磁気ストライプに対し磁気記録再生を行う磁気ヘッドとを具備する。
【００１４】
前記冊子類取扱い装置は、さらに冊子類の印字情報を光学的に読取る光学読取り部と、冊子類に印字する印字部と、冊子類の頁をめくる頁換部とを具備する。
【００１５】
前記本発明の第２の目的を達成するための冊子類取扱い装置は、両側にガイドを有し一方のガイドを基準ガイドとしてこの基準ガイドに沿って磁気ストライプを有する冊子類を搬送する搬送路と、書込みコアの幅は少なくとも冊子類が基準ガイドからシフトする方向に拡大され、読取りコアの幅は書込みコアよりも狭く、その中心位置は書込みコアの中心に対し冊子類がシフトする方向へずれており、磁気ストライプに対し磁気記録再生を行う磁気ヘッドとを具備する。
【００１６】
前記冊子類取扱い装置はさらに冊子類の印字情報を光学的に読取る光学読取り部と、冊子類に印字する印字部と、冊子類の頁をめくる頁換部とを具備する。
【００１７】
前記本発明の第１及び第２の目的を達成するための冊子類取扱い装置は、両側にガイドを有し一方のガイドを基準ガイドとしてこの基準ガイドに沿って磁気ストライプを有する冊子類を搬送する搬送路と、前記基準ガイドに近い側の第１の書込みコアの幅は少なくとも冊子類が基準ガイドからシフトする方向に拡大され、第１の読取りコアの幅は第１の書込みコアよりも狭く、その中心位置は前記第１の書込みコアの中心に対し前記冊子類がシフトする方向へずれている第１の磁気ヘッドと、この第１の磁気ヘッドに隣接して配置され、第２の書込みコアの幅はその幅の両方向へ拡大され、第２の読取りコアの幅は第２の書込みコアよりも狭く、その中心位置は第２の書込みコアの中心に対し前記基準ガイドの方向にずれている第２の磁気ヘッドとを有し、前記磁気ストライプに対し磁気記録再生を行う磁気ヘッドとを具備する。
【００１８】
前記冊子類取扱い装置はさらに冊子類の印字情報を光学的に読取る光学読取り部と、冊子類に印字する印字部と、冊子類の頁をめくる頁換部とを具備する。
【００１９】
前記本発明の第３の目的を達成する冊子類取扱い装置は、前記第１及び第２の目的を達成する冊子類取扱い装置に搭載される磁気ヘッドを、磁気ストライプが配置される位置の異なる複数の冊子類の磁気ストライプに対して磁気記録再生できるように複数箇所に複数個有する。
【００２０】
【発明の実施の形態】
本発明の冊子類取扱い装置の一実施形態を、図面を参照して詳細に説明する。図１は、磁気記録機構を搭載する冊子類取扱い装置、具体的には通帳記帳機の全体構成を示す図である。通帳記帳機は、通帳１を挿入する挿入口２、通帳１を搬送するための複数の搬送ローラ３と左右に通帳の搬送ガイドを有する搬送路１０を有する。通帳１は左右の搬送ガイドのうち一方を基準ガイドとして、基準ガイドに幅寄せされながら搬送される。搬送路１０に沿って通帳１の印字情報を読取る光学読取り部４、磁気ヘッド６を備えた磁気記録機構部１１、印字部５を備え、さらに、取引頁が満行になったり他の科目頁に移る場合に通帳１の頁をめくる頁換部７を実装し、その下側には、処理を済ませ返却した通帳１を顧客が取り忘れた場合に回収するための退避路８を設けている。装置下方には前記各部位の動作制御を行う制御基盤９を実装している。
【００２１】
図２は磁気記録機構１１の詳細を示す図である。磁気ヘッド６はヘッドホルダ５２で保持され、ヘッドホルダ５２はリンク５３を介して電磁ソレノイド５１の矢印５４方向の運動を矢印５５方向に換え、磁気ヘッド６を搬送路１０に突出したり退避したりする。搬送路１０に突出した磁気ヘッド６は、通帳１に貼り付けた磁気ストライプに接触し、通帳１の図示奥行き方向の搬送動作により、磁気書込み及び読取りを行う。以上のような装置、媒体により、現金預支払いを含む通帳記帳一連の取引が行われる。
【００２２】
図３は通帳記帳機の基本動作を説明する図である。通帳を吸入し（ステップ９１）、挿入された通帳の頁バーコード及び印字済情報を読取り（ステップ９２）、当該取引以前の情報を磁気ストライプから読取り（ステップ９３）、図示せぬ入出金処理の後、当該取引内容を印字し（ステップ９４）、必要に応じて通帳の頁をめくり（ステップ９５、９６）、当該取引の最終データを磁気ストライプに記録し（ステップ９７）、磁気データの検証（ステップ９８）を行った後返却する（ステップ９９）。次に本実施形態における磁気記録について詳細に説明する。
【００２３】
図１４を参照するに、それぞれ仕様の異なる磁気ストライプのデータ４１−ａ、４２−ａ、４３−ａに対し、一個の磁気ヘッド４１で記録及び再生できれば理想的である。そのためには、位置３１（図１３参照）の磁気ストライプのデータ４２−ａの中心４５に対する、別の仕様（位置３３）による磁気ストライプの通帳１の側端部側のデータ４１−ａの中心４７のずれ分、位置３２の磁気ストライプのデータ４３−ａの中心４６に対する位置３３の磁気ストライプの通帳の側端部から遠い側のデータ４１−ａの中心４８のずれ分を考慮する必要がある。
【００２４】
図４に本実施形態による磁気ヘッド６−１の構成を示す。磁気ヘッド６−１のハウジングに組込まれる、基準ガイド側に位置する第１の磁気ヘッド６１の書込みコア６２は、その幅が、幅方向の両方向に最大限拡大されている。これにより図１４に示される位置３１の磁気ストライプのデータ４２−ａ（トラック）と位置３３の磁気ストライプの通帳１の側端部側のデータ４１−ａ（トラック）の書込みが可能となる。読取りコア６３はその幅を拡げるとノイズを拾う原因となるので、拡大せずにデータ４２−ａの中心４５とデータ４１−ａの中心４７とのずれ分（δ３）だけ基準ガイドと反対側にシフトさせる。これにより位置３１の磁気ストライプのデータ４２−ａ（トラック）と位置３３の磁気ストライプの通帳１の側端部側のデータ４１−ａ（トラック）の読取りが可能となる。
【００２５】
第１の磁気ヘッド６１に隣接して組込まれる第２の磁気ヘッド６４の書込みコア６５は、その幅が、幅方向の両方向に最大限拡大されている。これにより、図１４に示される位置３２のデータ４３−ａ（トラック）と位置３３の磁気ストライプの通帳１の側端部から遠い側のデータ４１−ａ（トラック）の書込みが可能となる。読取りコア６７の幅を拡げると前述と同様ノイズを拾う原因となるので、拡大せずにデータ４３−ａの中心４６とデータ４１−ａの中心４８とのずれ分（δ３′）だけ基準ガイド側にシフトさせる。これにより位置３２の磁気ストライプのデータ４３−ａ（トラック）と位置３３の磁気ストライプの通帳１の側端部から遠い側のデータ４１−ａ（トラック）の読取りが可能となる。
【００２６】
以上説明したように本発明の第１の実施形態によれば、一個の磁気ヘッドで仕様の異なる３種類の磁気ストライプに対し、記録再生が可能となる。また、磁気ストライプが配置される位置は様々とは言え、実際は３〜４種類ぐらいなので、これらの磁気ストライプに対応する位置に前記磁気ヘッド６−１を３〜４個配置すれば、殆どの通帳に対し磁気記録再生が可能となる。
【００２７】
次に本発明の第２の実施形態を説明する。図５は磁気記録時の通帳搬送状態及び、磁気ヘッド６との位置関係を示す図である。通帳１は搬送路左右のガイド７５、７６の幅７４内を搬送されるが、通帳１の位置制度を決定づけるのは図示左側の基準ガイド７５である。通帳１は図示せぬ搬送寄せ機構により、前記基準ガイド７５に寄せられながら搬送され、磁気記録他の動作が行われる。しかしながら、装置を取り巻く環境や通帳１の状態によっては、通帳１を基準ガイド７５に寄せる精度にばらつきが生じる。磁気記録仕様から規定される通帳１の磁気記録位置７１に対し、基準ガイド７５と磁気ヘッド６との間隔７３は理論上の設定値となるが、ここで、上述のように通帳１は搬送路内で寸法７２だけシフトしてしまうと、通帳１の磁気記録位置７１と磁気ヘッド６の実装位置７３が通帳１のシフト量７２の分不一致となる。
【００２８】
図６は、図５における通帳１のシフト量７２を分布にとり搬送特性を説明した図である。ここでシフト量７２が磁気読取り性能に及ぼす影響を図７及び図８を用いて説明する。シフト量７２を考慮しないで上述の理論上の設定値で磁気ヘッド６を配置した場合、図７に示すように磁気ヘッド６の読取りコア６９が磁気データ４２−ａ（トラック）から外れて読取り動作１０４を行う場合が考えられ、この時、読取りコア６９の磁気データ４２−ａ以外の周囲の磁力をノイズとして取込み、図８の磁気出力波形に示すノイズ波形１１１となり、誤読取りの原因となる。
【００２９】
図１０は図６の通帳１のシフト分布結果に基づき決定した磁気ヘッド６−２の構成を示す図である。書込みコア６７の幅は通帳１のシフトの方向にシフト量δ１の半分に相当する分だけ拡大するか、あるいは幅方向の両方に最大限拡大する。これにより、図７に示すように、磁気ヘッド６−２の書込みコア６７はデータ４２−ａを所定のトラックに書込むことができる。読取りコア６８は、幅を拡げるとノイズを拾う原因となるので幅は拡げずに、図６の分布８１の中心となるδ１（８２）に基づき、書込みコア６７の中心に対して読取りコア６８の中心の位置をδ２（δ１と同じ値でも良い）だけずらしている。上述のとおり読取りコア６８の位置をシフトすることで、図７に示すように、磁気ヘッド６−２の読取りコア６８は磁気データ４２−ａから外れることなく、図９のごとく、良好な磁気出力１２１を得ることが可能となる。
【００３０】
図１０の磁気ヘッド６−２は図１４のデータ４２−ａに対応した構造であるが、一個の磁気ヘッドでデータ４２−ａとデータ４３−ａに対応するためには、図１１に示すように、一個のハウジング１０５に２個の磁気ヘッドを隣接して配置する。このとき、第１の磁気ヘッド１０６は前述の磁気ヘッド６−２と同じ構成であり、第２の磁気ヘッド１０７も書込みコア１０８の幅は、通帳１のシフトの方向にシフト量δ１の半分に相当する分だけ拡大するか、その幅方向の両方に最大限拡大する。これによりデータ４３−ａを所定のトラックに書込むことができる。また、読取りコア１０９も第１の磁気ヘッド１０６と同じ構成であり、その幅は拡大せずに、図６の分布８１の中心となるδ１（８２）に基づき、書込みコア１０８の中心に対して読取りコア１０９の中心の位置をδ２だけずらしている。
【００３１】
以上の説明のとおり、本発明の第２の実施形態によれば、通帳が基準ガイドに対してシフトして搬送される場合であっても、磁気ストライプのトラックに対して正常な記録再生が可能となる。
【００３２】
次に本発明の第３の実施形態を説明する。前記第１の実施形態において、通帳が搬送時に基準ガイドからシフトする場合の磁気記録機構の改善である。図４を参照する。磁気ヘッド６−１のハウジングに組込まれる、基準ガイド側に位置する第１の磁気ヘッド６１の書込みコア６２は、その幅が、幅方向の両方向に最大限拡大されている。これにより通帳１が基準ガイド７５からδ１だけシフトしていても、図１４に示される位置３１の磁気ストライプのデータ４２−ａ（トラック）と位置３３の磁気ストライプの通帳１の側端部側のデータ４１−ａ（トラック）の書込みが可能となる。読取りコア６３はその幅を拡げるとノイズを拾う原因となるので、拡大せずに、通帳１のシフト量δ１にデータ４２−ａの中心４５とデータ４１−ａの中心４７とのずれ分（δ３）を加えた分だけ基準ガイド７５と反対側にシフトさせる。これにより位置３１の磁気ストライプのデータ４２−ａ（トラック）と位置３３の磁気ストライプの通帳１の側端部側のデータ４１−ａ（トラック）の読取りが可能となる。
【００３３】
第１の磁気ヘッド６１に隣接して組込まれる第２の磁気ヘッド６４の書込みコア６５は、その幅が、幅方向の両方向に最大限拡大されている。これにより、通帳１が基準ガイド７５からδ１だけシフトしていても、図１４に示される位置３２のデータ４３−ａ（トラック）と位置３３の磁気ストライプの通帳１の側端部から遠い側のデータ４１−ａ（トラック）の書込みが可能となる。読取りコア６７の幅を拡げると前述と同様ノイズを拾う原因となるので、拡大せずにデータ４３−ａの中心４６とデータ４１−ａの中心４８とのずれ分（δ３′）から通帳１のシフト量δ１を差し引いた分だけ基準ガイド側にシフトさせる。これにより位置３２の磁気ストライプのデータ４３−ａ（トラック）と位置３３の磁気ストライプの通帳１の側端部から遠い側のデータ４１−ａ（トラック）の読取りが可能となる。
【００３４】
以上説明したように本発明の第３の実施形態によれば、通帳が基準ガイドからシフトして搬送される場合であっても、一個の磁気ヘッドで仕様の異なる３種類の磁気ストライプに対し、記録再生が可能となる。また、前述のとおり磁気ストライプが配置される位置は実際は３〜４種類ぐらいなので、これらの磁気ストライプに対応する位置に前記磁気ヘッドを３〜４個配置すれば、殆どの通帳に対し磁気記録再生が可能となる。
【００３５】
【発明の効果】
本発明によれば、磁気センサの如く高額な部品を用いたり、磁気ヘッドを移動する大掛かりな機構を設けたりすることなく、冊子類の磁気ストライプの読取り精度を向上し、冊子類の種類判定から適正な磁気ストライプの読取りにかかる時間を低減し、結果として、安価で処理能力の向上を期待できる冊子類取扱い装置を提供することができる。
【図面の簡単な説明】
【図１】本発明の第１、第２及び第３の実施形態による冊子類取扱い装置の全体構成を示す側面図である。
【図２】本発明の第１、第２及び第３の実施形態による冊子類取扱い装置に搭載される磁気記録機構の構成を示す正面図である。
【図３】本発明の第１、第２及び第３の実施形態による冊子類取扱い装置の動作を説明するためのフローチャートである。
【図４】本発明の第１の実施形態による磁気ヘッドの構成を示す上面図である。
【図５】通帳が基準ガイドからシフトして搬送される様子を示す搬送路上面図である。
【図６】図５の搬送路における通帳のシフト量の分布を示す図である。
【図７】本発明の第２の実施形態による磁気ヘッドと従来の磁気ヘッドのデータ（トラック）との関係を示す図である。
【図８】従来の磁気ヘッドによる磁気記録特性を説明する図である。
【図９】本発明の第２の実施形態による磁気ヘッドの磁気記録特性を示す図である。
【図１０】本発明の第２の実施形態による磁気ヘッドの構成を示す上面図である。
【図１１】本発明の第２の実施形態による磁気ヘッドの応用例とデータ（トラック）との関係を示す図である。
【図１２】一般的な通帳の構成を示す図である。
【図１３】通帳仕様により異なる磁気ストライプの位置、種類の違いを説明する図である。
【図１４】従来の、通帳の磁気データに対する磁気ヘッドの配置を示す図である。
【符号の説明】
１　　通帳　　　　　　　３　　搬送ローラ　　　　４　　光学読取り部
５　　印字部　　　　　　６、６−１、６−２　　磁気ヘッド
７　　頁換部　　　　　　１０　搬送路　　　　　　１１　磁気記録機構
２４　磁気ストライプ　　２５　バーコード
４１−ａ、４２−ａ、４３−ａ，４４−ａ　磁気データ
６１　第１の磁気ヘッド　６４　第２の磁気ヘッド
６２、６５、６７　　書込みコア
６３、６６、６８　　読取りコア
７１　磁気記録位置　　　７２　通帳のシフト量
７３　磁気ヘッドの実装位置
７５　搬送ガイド（基準ガイド）　　　　　　　　　７６　搬送ガイド
【図１】
2004118490.tif 000003
【図２】
2004118490.tif 000004
【図３】
2004118490.tif 000005
【図４】
2004118490.tif 000006
【図５】
2004118490.tif 000007
【図６】
2004118490.tif 000008
【図７】
2004118490.tif 000009
【図８】
2004118490.tif 000010
【図９】
2004118490.tif 000011
【図１０】
2004118490.tif 000012
【図１１】
2004118490.tif 000013
【図１２】
2004118490.tif 000014
【図１３】
2004118490.tif 000015
【図１４】
2004118490.tif 000016